(57)【特許請求の範囲】
【請求項１】
無線通信システムに用いられる複数の系列を生成する方法であって、
複数の初期系列を第１の系列セットに割り当てるステップと、
上記第１の系列セットをタイトフレーム空間に射影することにより、第２の系列セットを得るステップと、
上記第２の系列セットの複数のサブセットのそれぞれを直交行列の空間に射影することにより第３の系列セットを得るステップと、
上記第３の系列セットを巡回行列の空間に射影することにより第４の系列セットを得るステップと、
上記第４の系列セットを好適なＰＡＰＲを有する行列空間に射影することにより第５の系列セットを得るステップと、
上記第５の系列セットを第１の系列セットに割り当てることにより、上記の各ステップを少なくとも１回繰り返すステップと、
上記の各ステップを繰り返した後の第５の系列セットを出力するステップと、
を含む方法。
【請求項２】
上記複数の初期系列として複数のＺａｄｏｆｆ−Ｃｈｕ系列を用いる請求項１に記載の方法。
【請求項３】
複数の参照信号を送信する通信デバイスであって、
請求項１に記載の方法における各ステップを実行することにより得られた複数の系列を用いて複数の参照信号を生成する参照信号生成器と、
上記複数の参照信号を送信する参照信号送信機と、
を備えている通信デバイス。
【請求項４】
参照信号空間の量が所定の値よりも小さい場合、上記参照信号生成器は、請求項１に記載の方法における各ステップを実行することにより得られた複数の系列を用いて複数の参照信号を生成する請求項３に記載の通信デバイス。
【請求項５】
上記参照信号空間の量が所定の値よりも大きい場合、上記参照信号生成器は、複数のＺａｄｏｆｆ−Ｃｈｕ系列を含む複数の系列を用いて複数の参照信号を生成する請求項４に記載の通信デバイス。
【請求項６】
請求項１に記載の方法における各ステップを実行することにより得られた複数の系列を用いて設計された複数の参照信号を受信する通信デバイス。
【請求項７】
請求項１に記載の方法における各ステップを実行することにより得られた複数の系列を用いて生成された複数の参照信号を出力する装置。
【請求項８】
数値的方法を用いて多入力多出力（ＭＩＭＯ）システムのための複数の参照信号を設計する方法であって、
入力信号となる多入力多出力信号を決定するステップと、
１つ以上の所定の構造化ベクトルに最も近いタイトフレームを取得するステップと、
上記最も近いタイトフレームから１つ以上の構造化ベクトルを取得するステップと、
上記１つ以上の構造化ベクトルを巡回行列の空間上に射影するステップと、
複数の参照信号に関連する１種類以上の行列を出力するステップと、
を含む方法。
【請求項９】
セルにおける３つのセクターを網羅する参照信号のセットを供給するステップをさらに含む請求項８に記載の方法。
【請求項１０】
単位セクターあたり少なくとも２つの参照信号が供給される請求項９に記載の方法。
【請求項１１】
上記参照信号のセットを構成する複数の参照信号は、所定のセルにおけるそれぞれのセクターにおいて直交している請求項９に記載の方法。
【請求項１２】
上記参照信号のセットを構成する複数の参照信号は、所定のセルに隣接する複数のセクターにおいて直交している請求項９に記載の方法。
【請求項１３】
隣接セクターに存在しない複数の参照信号を最小限に相関させるステップをさらに含む請求項９に記載の方法。
【請求項１４】
上記参照信号のセットは、１の値に近い値のピーク対平均電力比を含む請求項９に記載の方法。
【請求項１５】
複数の帯域幅が同時に使用される請求項８に記載の方法。
【請求項１６】
系列のセットは、基本系列から再帰的に生成される請求項１５に記載の方法。
【請求項１７】
ゼロでない要素を複数含む単位超球上の行列を供給するステップをさらに含む請求項８に記載の方法。
【請求項１８】
１つ以上の構造化ベクトルのそれぞれの間の相関を出力するステップをさらに含む請求項８に記載の方法。
【請求項１９】
系列セットを最も近いタイトフレームに射影するステップをさらに含む請求項８に記載の方法。
【請求項２０】
最も近いタイトフレームの複数のサブセットを１つ以上の直交行列に射影するステップをさらに含む請求項８に記載の方法。
【請求項２１】
１つ以上の直交行列を最近傍の巡回行列に射影するステップをさらに含む請求項８に記載の方法。
【請求項２２】
それぞれの系列を最小のピーク対平均電力比ベクトル上に射影するステップをさらに含む請求項８に記載の方法。
【請求項２３】
数値的方法を用いて多入力多出力（ＭＩＭＯ）システムのための複数の参照信号を設計するように構成された送信機であって、
プロセッサーと、
上記プロセッサーと電気的な通信を行うメモリと、を備えており、
上記メモリには、
入力信号となる多入力多出力信号を決定し、
１つ以上の所定の構造化ベクトルに最も近いタイトフレームを取得し、
上記最も近いタイトフレームから１つ以上の構造化ベクトルを取得し、
上記１つ以上の構造化ベクトルを巡回行列の空間上に射影し、
複数の参照信号に関連する１種類以上の行列を出力することを実行可能な命令が格納されている送信機。
【請求項２４】
上記命令は、さらに、ゼロでない要素を複数含む単位超球上の行列を供給することが実行可能である請求項２３に記載の送信機。
【請求項２５】
上記命令は、さらに、１つ以上の構造化ベクトルそれぞれの間の相関を出力することが実行可能である請求項２３に記載の送信機。
【請求項２６】
上記命令は、さらに、セルにおける３つのセクターを網羅する参照信号のセットを供給することが実行可能である請求項２３に記載の送信機。
【請求項２７】
単位セクターあたり少なくとも２つの参照信号が供給される請求項２６に記載の送信機。
【請求項２８】
上記参照信号のセットを構成する複数の参照信号は、所定のセルにおけるそれぞれのセクターにおいて直交している請求項２６に記載の送信機。
【請求項２９】
上記参照信号のセットを構成する複数の参照信号は、所定のセルに隣接する複数のセクターにおいて直交している請求項２６に記載の送信機。
【請求項３０】
上記命令は、さらに、隣接セクターに存在しない複数の参照信号を最小限に相関させることが実行可能である請求項２６に記載の送信機。
【請求項３１】
入力信号となる多入力多出力信号を決定し、
１つ以上の所定の構造化ベクトルに最も近いタイトフレームを取得し、
上記最も近いタイトフレームから１つ以上の構造化ベクトルを取得し、
上記１つ以上の構造化ベクトルを巡回行列の空間上に射影し、
複数の参照信号に関連する１種類以上の行列を出力することを実行可能な命令を含んでいるコンピュータ読み取り可能な媒体。
【請求項３２】
ＭＩＭＯシステムのための参照信号を設計するためのプログラムであって、請求項８に記載の方法の各ステップをコンピュータに実行させるプログラム。
【請求項３３】
請求項２３に記載の送信機と、
受信機と、を備えており、
上記送信機は、上記受信機に参照信号を送信する多入力多出力（ＭＩＭＯ）システム。
【発明の詳細な説明】
【技術分野】
【０００１】
本発明は、概して、コンピュータおよびコンピュータ関連技術に関する。より詳細には、本発明は、空間多重方式を用いたセルラシステムにおける参照信号の設計を改良するシステムおよび方法に関する。
【０００２】
〔関連出願〕
本出願は、２００７年３月１４日に出願された米国特許出願番号１１／６８６，２５１である「空間多重方式を用いたセルラシステムにおける参照信号を改良するためのシステムおよび方法」の利益を主張する。
【背景技術】
【０００３】
無線通信システムは、一般的に、複数のユーザーデバイス（移動局、加入者ユニット、アクセス端末などと称されることもある）と無線通信する基地局を含む。基地局は、ラジオ周波数（ＲＦ）通信チャネルによりユーザーデバイスにデータを送信する。基地局からユーザーデバイスへの通信は「下り回線」と称し、ユーザーデバイスから基地局への通信は「上り回線」と称する。
【０００４】
直交周波数分割多重方式（ＯＦＤＭ）は、通信チャネルの伝送帯域を、等間隔のサブ帯域に分割することによる変調多重アクセス技術である。ユーザー情報の一部を搬送するサブキャリアは、サブ帯域のそれぞれにおいて送信され、サブキャリアのそれぞれは、他のサブキャリアのそれぞれと直交している。サブキャリアは、ときに「トーン」とも称される。ＯＦＤＭは、音声およびデータを含む幅広いサービスに効果的に利用することができるような非常に柔軟なシステムアーキテクチャの作成を可能にする。ＯＦＤＭは、ときに、「discrete multi-tone transmission（ＤＭＴ）」とも称される。
【０００５】
３rd Generation Partnership Project（３ＧＰＰ）は、世界中の標準化団体の連携組織である。３ＧＰＰの目的は、国際電気通信連合により定められたＩＭＴ−２０００（International mobile telecommunication 2000）規格の範囲内において、世界中で適用することができる第３世代（３Ｇ）携帯電話システム規格を作り上げることである。
【０００６】
３ＧＰＰロングタームエボリューション（ＬＴＥ）委員は、上り回線に用いるＯＦＤＭ通信に加えて、下り回線のための方法としてＯＦＤＭ／ＯＱＡＭ（直交周波数分割多重方式／オフセット直交振幅変調）も検討している。
【０００７】
無線通信システム（例えば、時分割多元接続（ＴＤＭＡ）、直交周波数分割多重方式（ＯＦＤＭ））では、通常、ユーザーデバイスのアンテナと基地局のアンテナとの間における干渉性受信のためのチャネルインパルス応答の評価を算出する。チャネルの評価は、データに多重化された既知の参照信号の送信を含む。参照信号は、単一の周波数を含み、監視、制御、均等化、連続性、同期化などのために通信システム上で送信される。無線通信システムは、それぞれが参照信号を送信する１つ以上の移動局および１つ以上の基地局を含むことになる。参照信号は、異なる移動局において用いられていた参照信号を次の移動局においても利用できるように設計されている。そのため、空間多重方式を用いたセルラシステムにおける参照信号の設計を改良するシステムおよび方法の実現は有益である。
【発明の概要】
【０００８】
無線通信システムに用いられる系列を生成する方法について記載する。初期系列が、第１系列セットに割り当てられる。第２系列セットは、第１系列セットをタイトフレーム空間に射影することにより得られる。第３系列セットは、第２系列セットのサブセットのそれぞれを直交行列の空間に射影することにより得られる。第４系列セットは、第３系列セットを巡回行列の空間に射影することにより得られる。第５系列セットは、第４系列セットを好適なＰＡＰＲを有する行列の空間に射影することにより得られる。第５の系列セットを第１の系列セットに割り当てることにより、上記のステップを少なくとも１回繰り返す。上記のステップの繰り返し実行された後の第５系列セットを出力する。
【０００９】
多入力多出力（ＭＩＭＯ）システムの参照信号を設計するための数値的方法を用いた方法を記載する。入力信号となる多入力多出力信号を決定する。１つ以上の所定の構造化ベクトルに対する最も近いタイトフレームが得られる。最も近いタイトフレームから１つ以上の構造化ベクトルが得られる。１つ以上の構造化ベクトルが巡回行列の空間上に射影される。参照信号に関連する１種類以上の行列が出力される。
【００１０】
多入力多出力（ＭＩＭＯ）システムの参照信号を設計するための数値的方法を用いた構成の送信装置についても記載する。送信装置は、プロセッサーおよびプロセッサーに対して電気的に通信するメモリを備えている。メモリには命令が格納されている。入力信号となる多入力多出力信号が決定される。１つ以上の所定の構造化ベクトルに対する最も近いタイトフレームが得られる。最も近いタイトフレームから１つ以上の構造化ベクトルが得られる。１つ以上の構造化ベクトルが巡回行列の空間上に射影される。参照信号に関連する１種類以上の行列が出力される。
【００１１】
実行可能な命令を記録したコンピュータ読み取り可能な媒体についても記載する。入力信号となる多入力多出力信号が決定される。１つ以上の所定の構造化ベクトルに対する最も近いタイトフレームが得られる。最も近いタイトフレームから１つ以上の構造化ベクトルが得られる。１つ以上の構造化ベクトルが巡回行列の空間上に射影される。参照信号に関連する１つ以上の種類の行列が出力される。
【００１２】
本発明の様々な実施形態は、図面を参照して説明される。同一または機能的に似た部材には同じ参照符号を付している。本明細書等の図において一般的に説明または図解されているように、本発明の実施形態は、異なる構成に幅広く変形したり、設計したりすることができる。したがって、図面を参照しつつ、以下に本発明におけるいくつかの典型的な実施形態をより詳細に説明するが、特許請求の範囲のように本発明の範囲を限定する意図はなく、単に本発明の実施形態を説明しているだけである。
【００１３】
本発明の典型的な実施形態は、以下の記載および添付した特許請求の範囲、それらと共に付随する図面から、より一層完全に明らかになるであろう。図面は単に好適な実施形態を表現するものであり、何ら発明の範囲を限定するものではないことは理解されるべきである。本発明の好適な実施形態は、付随する以下の図面を参照しつつ、個別に詳細に説明される。
【図面の簡単な説明】
【００１４】
【図１】図１は、本実施形態における好適な無線通信システムを示す図である。
【図２】図２は、ＯＦＤＭに基づいたシステムに従ったＲＦ通信チャネルの伝送帯域の特性を示す図である。
【図３】図３は、本実施形態に係るＯＦＤＭ送信機とＯＦＤＭ受信機との間に存在する通信チャネルを示す図である。
【図４】図４は、本発明に係るシステムおよび方法において用いることができるＭＩＭＯシステムの一実施形態を示す図である。
【図５】図５は、送信機の一実施形態における要部構成を示すブロック図である。
【図６】図６は、ＭＩＭＯシステムにおいて送信される参照信号を設計するために用いられる構成の一実施形態を示すブロック図である。
【図７】図７は、ＭＩＭＯシステムにおける参照信号を設計するための方法の一実施形態を示すフロー図である。
【図８】図８は、参照信号を設計するために利用されるアルゴリズムの他の実施形態を示すフロー図である。
【図９】図９は、ＭＩＭＯシステムにおける参照信号を設計するために利用されるアルゴリズムを示すフロー図である。
【図１０】図１０は、通信デバイスに利用される各構成を示す図である。
【発明を実施するための形態】
【００１５】
「典型的な」という用語は、「例示、例証、または説明に役立つ」という意味で用いられている。本明細書等におけるいくつかの実施形態は「典型的な」と記載されているが、他の実施形態よりも好適であったり、有利である構成であるとはいえない。
【００１６】
本明細書等に記載されている実施形態における多くの構成は、コンピュータソフトウェア、電子ハードウェア、またはそれらの両方の組み合わせとしても実現することができる。ハードウェアおよびソフトウェアの互換性をわかりやすく説明するために、多くの構成部材は、通常、それらの機能の点から説明している。上記の機能がハードウェアとして実行されるか、ソフトウェアとして実行されるかは、システム全体における特定のアプリケーションおよび設計上の制約に依存する。当業者であれば、特定のアプリケーションごとに、説明する機能の様々な点を実現することができる。しかし、上記の実現の決定は、本発明の範囲から逸脱する要因としてみなされるべきではない。
【００１７】
説明した機能がコンピュータソフトウェアとして実現される場合、ソフトウェアはメモリデバイスに記録されていたり、システムバスもしくはネットワーク上の電気信号として送信されるコンピュータ命令またはコンピュータ実行コードを含む。ソフトウェアは、本明細書等において説明されている部材を機能的に集合させて実現されており、単一の命令または複数の命令を含む。また、ソフトウェアは、いくつかの異なるコードセグメント、複数の異なるプログラムおよびいくつかのメモリデバイスに分散されてもよい。
【００１８】
本明細書等において用いられている「実施形態」、「一実施形態」、「特定の実施形態」、「他の実施形態」は、明確にそうでないと記載されているものを除いて、「本発明に記載されている１つ以上（しかし、全てである必要はない）の実施形態」という意味である。
【００１９】
「決定」（およびその文法上の変形も含む）という用語は、非常に広い意味で用いられている。「決定する」という用語は、幅広い種類の作用を含む。すなわち、「決定する」には、算出する、計算する、処理する、導く、調べる、ルックアップする（例えば、テーブル、データベース、またはその他のデータ構造をルックアップする）、確認するなどが含まれる。また、「決定する」には、受信する（例えば、情報を受信する）、アクセスする（例えば、メモリのデータにアクセスする）なども含まれる。さらに、「決定する」には、解明する、選択する、選ぶ、定めるなども含まれる。
【００２０】
「〜に基づく」という句は、明確にそうではないと記載されているものを除いて、「〜のみに基づく」という意味ではない。すなわち、「〜に基づく」という句は、「〜のみに基づく」および「少なくとも〜に基づく」の双方を説明している。
【００２１】
参照信号は、通信システムにおいて用いることができる。参照信号は、単一の周波数を含み、監視、制御、均等化、連続性、同期化などのために通信システム上で送信される。通信システムは、１つ以上の移動局および１つ以上の基地局を含み、それぞれが参照信号を送信する。参照信号は、異なる移動局において先に用いられた参照信号が次の移動局においても再利用することができるように設計されているか、または干渉が無視できるほど十分遠くに離れた他のセルにおける他の移動局において同時に使用されるように設計されている。Ｚａｄｏｆｆ‐Ｃｈｕ系列における特定セットの切り捨てまたは循環延長は、再利用するための参照信号の設計に利用されている。しかし、切り捨てまたは循環延長は、系列割り当てのための面倒な整数プログラミング問題を招くことになる。加えて、Ｚａｄｏｆｆ‐Ｃｈｕ系列における特定セットの切り捨てまたは循環延長を実行する際には、相関性が最小であるという保証はない。さらに、候補として挙げられた参照信号の相関特性は様々であるため、移動局に関する詳細な設計が行われる。特に、異なるオペレーターにより同一の帯域で動作している隣接ネットワークがある場合は、特に面倒となる。
【００２２】
本システムはおよび本方法は、多入力多出力（ＭＩＭＯ）システムにおける参照信号を設計する。すなわち、本システムおよび本方法における参照信号は、単一または複数のユーザーＭＩＭＯシステムに用いるために、１つ以上の移動局に割り当てられている。一実施形態において、本システムおよび本方法は、セルラシステムにおける上り回線参照信号を設計する。移動局から基地局への通信は、「上り回線」通信として分類される。一方で、基地局から移動局への通信は、「下り回線」通信として分類される。セルラシステムにおける上り回線参照信号の送信には、移動局における周波数リソースおよび時間に関して厳密な要求が課されている。これらの厳密な要求は、移動局に対する参照信号の最適な設計を妨げることになる。したがって、複数の上り回線信号の通信とそれらの信号の送信される各基地局との間の同期化が行われ、また、移動局のセル間におけるセクター化が、セルごとの性能を最大にするために実行される、サイクリック・プレフィックス（cyclic prefix）を有する単一または複数の搬送波変調の実行が望まれる。加えて、本システムおよび本方法は、複数の基地局に対して、割り当てる帯域幅を同時に複数用意する。一実施形態において、移動局に割り当てられる帯域幅セグメントのそれぞれは、基本単位の整数値である。
【００２３】
参照信号のセットの設計は、特定の設計思想により行われている。例えば、セットは、単位セルあたり少なくとも３セクターを網羅し、単位セクターあたり少なくとも２つの参照信号を含むために十分な大きさを有している。一実施形態では、単位セクターあたり４つの参照信号が存在する。さらなる設計思想では、参照信号のセットは、所定のセルにおけるそれぞれのセクターにおいて直交している。参照信号のセットは、所定のセクターに隣接する全てのセクターにおいても直交している。参照信号が直交しており、かつ、隣接するセクターに知られている場合、最適な最小平均２乗受信機を設計し、実現することができる。
【００２４】
隣接セクターに存在しないか、または直交していない参照信号に対しては、他の設計思想となる。すなわち、参照信号のそれぞれは、最低限の相関を示し、かつ、その相関性はほとんど同じとなり、Ｗｅｌｃｈ限界に近づく（あるいは到達する）。Ｗｅｌｃｈ限界に近づくか、または到達する系列のセットは、タイトフレームを意味し、各ベクトルは単位ノルムを有する。すなわち、‖χη‖２＝１である。さらなる設計思想では、参照信号のセットが、１に近づく（あるいは１となる）ピーク対平均電力比（ＰＡＰＲ）も有している。ＰＡＰＲは、系列ベクトルｃに対して、
【００２５】
【数１】
0004819954.tif 000002
【００２６】
（ここで、‖ｃ‖∞２は、ｃの２乗最大絶対値を表しており、（）Ｈは共役転置を表している）
と定義することができる。
【００２７】
設計思想の他の例では、直交要素を有する系列のサブセットにおいて、各要素が他の要素の循環シフトとなる。マルチパス除去のためのサイクリック・プレフィックス（cyclic prefix）を送信する送信システムが、サイクリック・プレフィックス（cyclic prefix）の長さよりも大きな遅延広がりを有するマルチパス成分に遭遇した場合に、この特性はロバスト性能を提供するために役立つ。さらなる設計思想は、複数の帯域幅を同時に持つシステムにおいて、参照信号系列のセットの基本系列からの再帰的な生成が行われることである。
【００２８】
一実施形態において、参照信号の空間の数（時間および周波数リソース）は、確実に十分に大きい。例えば、帯域幅割り当ての基本単位は、単位セクターあたり２つの参照信号に対して、１９またはそれより大きい素数の参照信号を許容する。他の例では、帯域幅割り当ての単位ユニットは、単位セクターあたり４つの参照信号に対して、３７またはそれより大きい素数の参照信号を許容する。この場合のように、参照信号空間の数が確実に十分に大きい場合には、Ｚａｄｏｆｆ−Ｃｈｕ系列は、先に説明した設計思想を満たすため、基準系列にとることができる。しかし、上記のリソース有効性または系列数秘学は妥当ではない。本システムおよび本方法は、上記のリソースまたは系列数秘学が利用できない場合において、交互射影に基づいて参照信号を設計するためのアルゴリズムを提供する。
【００２９】
図１は、実施形態において実現される無線通信システム１００を示している。無線通信における基地局１０２は、複数のユーザーデバイス１０４（移動局、加入者ユニット、アクセス端末などと称されることもある）を有している。第１ユーザーデバイス１０４ａ、第２ユーザーデバイス１０４ｂおよび第Ｎユーザーデーバイス１０４ｎは、図１に示されている。基地局１０２は、ラジオ周波数（ＲＦ）通信チャネル１０６上でユーザーデバイス１０４に対してデータを送信する。
【００３０】
本明細書等において用いられる「ＯＦＤＭ送信機」という用語は、ＯＦＤＭ信号を送信する部材または装置のことを指す。ＯＦＤＭ送信機は、基地局１０２において実現され、１つ以上のユーザーデバイス１０４にＯＦＤＭ信号を送信する。また、ＯＦＤＭ送信機は、ユーザーデバイス１０４において実現され、１つ以上の基地局１０２にＯＦＤＭ信号を送信する。
【００３１】
「ＯＦＤＭ受信機」という用語は、ＯＦＤＭ信号を受信する部材または装置のことを指す。ＯＦＤＭ受信機は、ユーザーデバイス１０４において実現され、１つ以上の基地局１０２からのＯＦＤＭ信号を受信する。また、ＯＦＤＭ受信機は、基地局１０２において実現され、１つ以上のユーザーデバイス１０４からのＯＦＤＭ信号を受信する。
【００３２】
図２は、ＯＦＤＭに基づいたシステムにおけるＲＦ通信チャネル２０６の伝送帯域２０８の特性を示している。図２に示すように、伝送帯域２０８は、等間隔のサブ帯域２１０に分割されている。上述したように、ユーザー情報の一部分を搬送するサブキャリアは、サブ帯域２１０のそれぞれにおいて通信される。サブキャリアのそれぞれは、他のサブキャリアのそれぞれに直交している。
【００３３】
図３は、実施形態におけるＯＦＤＭ送信機３１２とＯＦＤＭ受信機３１４との間に存在する通信チャネル３０６を示している。図３に示すように、ＯＦＤＭ送信機３１２からＯＦＤＭ受信機３１４への通信は、第１通信チャネル３０６ａ上で行われる。ＯＦＤＭ受信機３１４からＯＦＤＭ送信機３１２への通信は、第２通信チャネル３０６ｂ上で行われる。
【００３４】
第１通信チャネル３０６ａおよび第２通信チャネル３０６ｂは、別々の通信チャネル３０６である。例えば、第１の通信チャネル３０６ａの伝送帯域と第２の通信チャネル３０６ｂの伝送帯域との間でのオーバーラップは生じない。
【００３５】
さらに、本システムおよび本方法では、複数アンテナ／ＭＩＭＯ送信を利用した変調を実施することができる。例えば、本システムおよび本方法では、ＭＩＭＯ符号分割多重接続（ＣＤＭＡ）システムまたはＭＩＭＯ時分割多元接続（ＴＤＭＡ）システムを実施することができる。
【００３６】
図４は、本システムおよび本方法を実施するＭＩＭＯシステム４００の一実施形態を示す。図示したＭＩＭＯシステム４００は、第１送信アンテナ（Ｔｘ１）４０２Ａおよび第２送信アンテナ（Ｔｘ２）４０２Ｂを含む。システム４００は、第１受信アンテナ（Ｒｘ１）４０４Ａおよび第２受信アンテナ（Ｒｘ２）４０４Ｂも含む。送信アンテナ４０２Ａ、４０２Ｂは、受信アンテナ４０４Ａ、４０４Ｂに対して、信号４０６、４０８、４１０、４１２を送信するために用いられる。
【００３７】
単一のアンテナシステムにおいて、マルチパスによる伝搬は、システムを実現するにおいて好ましくない。複数の伝搬経路があると、受信機側への到達のわずかな時間のずれにより、信号の「複製」が引き起こされる。このような遅延信号は、信号の再生を試みる際の障害となる。ＭＩＭＯシステム４００は、性能向上のためマルチパス伝搬を利用するように設計されている。例えば、第１受信アンテナ（Ｒｘ１）４０４Ａは、第１送信アンテナ（Ｔｘ１）４０２Ａおよび第２送信アンテナ（Ｔｘ２）４０２Ｂから送信された第１信号４０６および第３信号４１０の混合された信号を受信する。第１信号４０６および第３信号４１０は、第１チャネルｈ1,1および第２チャネルｈ2,1上で送信される。第１受信アンテナ（Ｒｘ１）で受信される第１信号と第３信号との比率は、送信チャネルｈ1,1およびｈ2,1に依存する。第１受信アンテナ（Ｒｘ１）４０４Ａにおいて受信した信号に対する簡易式は、
Ｒｘ１＝（ｈ1,1×Ｔｘ１）＋（ｈ2,1×Ｔｘ２）      （式２）
である。
【００３８】
第１受信アンテナ（Ｒｘ１）４０４Ａは、第１送信アンテナ４０２Ａおよび第２送信アンテナ４０２Ｂから送信された混合信号を受信する。ＭＩＭＯシステム４００は、元の信号が他の信号と混合して受信された場合に、元の信号を再現するために信号４０６、４０８、４１０、４１２のうちどの信号が、いつ送信されるべきかを定める様々な符号化スキームを実行する。これらの符号化スキームは、「時空間」符号化として知られている。これは空間（アンテナ）と時間（シンボル）とを横切る符号を定めるためである。
【００３９】
図５は、送信部５０４の一実施形態における要部構成のブロック図５００を示す。送信部５０４に通常含まれる他の部材については、本明細書等では実施形態の新規な構成を中心に説明するため、図示していない。
【００４０】
データシンボルは、変調器５１４により変調される。変調されたデータシンボルは、他のサブシステム５１８により分析される、分析されたデータシンボル５１６は、基準処理部５１０に供給される。基準処理部５１０は、データシンボルと共に送信される参照信号を生成する。変調されたデータシンボル５１２および参照信号５０８は、最終処理部５０６に伝達される。最終処理部５０６は、参照信号５０８および変調したデータシンボル５１２を一つの信号へと結合する。送信部５０４は信号を受信し、アンテナ５０２を介して受信機に信号を送信する。
【００４１】
図６は、ＭＩＭＯシステムにおいて送信される参照信号を設計するために用いられる部材の一実施形態を示すブロック図６００を示している。一実施形態において、初期系列取得部６０２は、初期系列（第１系列セット）を取得する。第１系列射影部６０４は、得られた系列セット（第１系列セット）を最も近いタイトフレームに射影する。サブセット射影部６０６は、最も近いタイトフレーム（第２系列セット）を１つ以上の直交行列に射影するために実装される。一実施形態において、行列射影部６０８は、１つ以上の直交行列（第３系列セット）を最近傍の巡回行列に射影する。一実施形態において、第２系列射影部６１０は、得られた系列セット（第４系列セット）のそれぞれを最小のピーク対平均電力比（ＰＡＰＲ）ベクトル上に射影する。繰り返し部６１２は、第１系列射影部６０４、サブセット射影部６０６、行列射影部６０８および第２系列射影部６１０により実行される各ステップを繰り返すために用いられる。繰り返し部６１２では、これらの処理をＴ回繰り返す。系列出力部６１４は、Ｔ回の繰り返しが実行された後の系列（第５系列セット）を出力する。
【００４２】
図７は、ＭＩＭＯシステムにおける参照信号の設計のための一実施形態に係る方法７００を示すフローチャートである。方法７００は、先の図６において説明した部材により実行される。一実施形態において、ＭＩＭＯ信号における不動点の存在を確認する（７０２）。例えば、（先に説明したとおり）１９または３７の長さのＺａｄｏｆｆ−Ｃｈｕ系列のセットに対して、Ｚａｄｏｆｆ−Ｃｈｕ系列は参照信号の設計のための入力として用いられたように戻すことができる。１つ以上の構造化ベクトルに対する最も近いタイトフレームが得られる（７０４）。次に、１つ以上の構造化ベクトルが、先に計算された最も近いタイトフレームから得られる（７０６）。１つ以上の構造化ベクトルが巡回行列空間上に射影され（７０８）、１つ以上の種類の行列が出力される（７１０）。出力された行列は、ＭＩＭＯシステムにおいて送信される参照信号の設計を示している。
【００４３】
図８は、参照信号の設計に用いることができるアルゴリズムの別の実施形態を示すフローチャート８００である。一実施形態において、第１行列が得られる（８０２）。第１行列は、単位超球上に置かれる。系列は、最初に満足な一定の包絡線特性を保証するために単位超球上に置かれる。開始系列が単位超球上である場合には、第１行列はゼロでない要素を複数を含む。第２行列が計算される（８０４）。第２行列は、第１行列に対する最も近いタイトフレームである。最も近いタイトフレームは、第１行列の評価を含む。
【００４４】
一実施形態において、第３行列が計算される（８０６）。第３行列は、第２行列に対して最小のピーク対平均電力比を有する最隣接行列である。第３行列は展開され、展開から第４行列が計算される（８０８）。一実施形態では、第４行列の最隣接巡回行列である第５行列が計算される（８１０）。第１行列は、第５行列にセットされる（８１２）。言い換えれば、第１行列は、第５行列に含まれるように割り当てられる。第４行列および第５行列が出力される（８１４）。さらに、第４行列および第５行列における内積の最大値も出力される（８１４）。
【００４５】
以下は、最小のピーク対平均電力比を有する最隣接行列である行列の相関セットを計算するステップを表している。Ｎ列ベクトル{ｘｎ}Ｎ n=1，ｘｎ∈ｅｄ，ｄ≦Ｎの系列は、行列Ｘ＝[ｘ1 ｘ2 … xN]の列として割り当てられる。行列はフレームと呼ばれる。各ベクトルは、一般性を欠くことなく、単位長を有しているとしてよい。これらのＫ個のベクトルのブロックは、（ＭＫ＝Ｎとして）Ｘ＝[Ｘ1 Ｘ2 … ＸＭ]となるように、行列のセット{Ｘｉ}K ｉ=1の中にグループ化される。ベクトル間の相関性は、複素ユークリッドｄ次元空間における標準内積である＜ｘｋ，ｘｎ＞として表される。
【００４６】
Ｗｅｌｃｈ限界は、任意のフレームに対して、ｋ≠ｎのときに、
【００４７】
【数２】
0004819954.tif 000003
【００４８】
である。
【００４９】
Ｗｅｌｃｈ限界に到達するか、または近づくフレームは、タイトフレームと呼ばれる。先に説明した設計思想では、同一のＸｉには含まれない任意の＜ｘｋ，ｘｎ＞に対して、＜ｘｋ，ｘｎ＞≦α（ここで、αは上記のＷｅｌｃｈ限界により定められる定数である）であることを示している。任意の行列Ｚ∈ｅｄ×Nが与えられている場合には、（成分的またはフロベニウスノルムとして計測される）距離の最も近くなる行列は、α（ＺＺH）1/2Ｚにより得られる。最適なＸが存在する場合には、この条件よりＸの行の間における正規直交条件が従う。
【００５０】
上述した設計思想は、Ｘi*Ｘi＝ＩK（Ｋ≦ｄ）であることも示している。言い換えれば、いくつかのＸiにおける各列は、Ｘiにおける他の任意の列に直交している。上記のことは、上記Ｘの役割をＸiHと仮定して繰り返すことができる。さらに、１セルあたり（すなわち、行列Ｘiあたり）わずか２つの系列が要求される場合、Ｘiの列のいずれかにゼロが存在する場合におけるＸi中の列ベクトル間の直交性を提供するために「位相パリティチェック」が実施される。換言すれば、ゼロ成分の位相は、直交性が一度維持されれば、列ベクトルのそれぞれが最小のピーク対電力比を有するように選択される。
【００５１】
以下には、所定の行列の最近傍の巡回行列を得るための処理を示している。行列Ｚ＝[ｚ1 … ｚN]が与えられる。ここで、それぞれのｚiは、列ベクトル∈ｅNである。フロベニウス（成分的）ノルムにおいて、Ｚに対して最も近接している巡回行列Ｃ＝[ｃ0 … ｃN-1]が得られる。一実施形態において、Ｆは離散フーリエ変換（ＤＦＴ）行列として与えられる。
【００５２】
【数３】
0004819954.tif 000004
【００５３】
対角「遅延」行列Ｄは、Ｄ＝diag（１ ｅ-j2π/N ｅ-j2π2/N … ｅ-j2π(N-1)/N）として定義される。任意の巡回行列Ｃに対して、Ｃ＝ＦHΛＦである。ここで、Λは系列／ベクトルｃ0のＤＦＴである。さらに、ｃi+1 mod N ＝ ＦHＤＦ ｃi ＝ （ＦHＤＦ）(i+1)mod N ｃ0が示される。したがって、
【００５４】
【数４】
0004819954.tif 000005
【００５５】
である。
【００５６】
一実施形態において、ｃ0を最小とするための
【００５７】
【数５】
0004819954.tif 000006
【００５８】
は、一意にＣを決定し、ｃ0がｃ0＝Ｂ+ζにより与えられる。ここで、Ｂ+はＢのムーア‐ペンローズ擬逆行列である。換言すれば、Ｂ+＝（ＢH Ｂ）-1 ＢHである。
【００５９】
列ベクトルの数が行ベクトルの数に等しくない行列は、被約階数行列とも称される（ＺはＮ列よりも小さい）。変調は、循環関係ｃi+1 mod N ＝ ＦHＤＦ ｃiを実行し、適切な行列Ｂを形成する。循環シフトされた３つの成分からなる２つのベクトルのみが要求される場合、ｃ1 ＝ （ＦHＤＦ）3 ｃ0であり、Ｂは行列成分ＩNおよび（ＦHＤＦ）2を含む。
【００６０】
図９は、ＭＩＭＯシステムにおける参照信号を設計するために利用することができるアルゴリズムを示すフローチャート９００である。行列Ｚ0∈ｅｄ×Nが与えられる（９０２）。一実施形態において、行列Ｚ0は、単位超球上であり、全ての成分がゼロではない。以下、ｔ＝１〜Ｔとする。
【００６１】
一実施形態において、α（ＺＺH）1/2Ｚが計算され（９０４）、行列Ｙに割り当てられる。これは、Ｚに対する最も近いタイトフレームとなり、以下の制約が満たされる。Ｙの列ベクトルにゼロが存在する場合、Ｙにおけるそれらに関連する成分に、直交性が維持されるように、位相が加えられる。ｍ＝１〜Ｍに対して、（α（ＷｍHＷｍ）1/2ＷｍH）Hが計算され（９０６）、ベクトルＶｍに割り当てられる。行列Ｖ＝[Ｖ1 Ｖ2 … ＶM]が組み立てられる。
【００６２】
一実施形態において、ｍａｘk≠n＜ｖk, ｖn＞が計算される。さらに、Ｖに対する最近傍の巡回行列であるＱ行列が計算される（９０８）。また、ｍａｘk≠n＜ｑk, ｑn＞も計算される。Ｗ行列を計算する（９１０）。Ｗ行列は、Ｙに対する最小のＰＡＰＲを有する最近傍の行列である。Ｗ行列は、Ｗ＝[Ｗ1 Ｗ2 … ＷM]として表される。Ｚ行列は、Ｑ行列として割り当てられる（９１２）。巡回行列が要求されない場合、Ｚ行列はＶ行列として割り当てられる。一実施形態において、ｔはｔ＋１として更新される。Ｖ行列およびＱ行列が出力される（９１４）。さらに、ｍａｘk≠n＜ｖk, ｖn＞およびｍａｘk≠n＜ｑk, ｑn＞も出力される（９１４）。
【００６３】
図１０は、通信デバイス１００２において利用される様々な部材を示している。通信デバイス１００２は、移動局、携帯電話、アクセス端末、ユーザー設備、基地局トランシーバー、基地局制御装置などのような様々なタイプの通信デバイスに含まれている。通信デバイス１００２は、通信デバイス１００２の動作を制御するプロセッサー１００６を備えている。プロセッサー１００６は、ＣＰＵとも称される。メモリ１００８は、読み取り専用メモリ（ＲＯＭ）およびランダムアクセスメモリ（ＲＡＭ）の双方を含み、プロセッサー１００６に対する命令およびデータを提供する、命令は、上述した参照信号の設計方法を含む。命令はプロセッサー１００６において実行される、メモリ１００８の一部には、不揮発性ランダムアクセスメモリ（ＮＶＲＡＭ）も備えられている。
【００６４】
通信デバイス１００２は、データの送信および受信を可能とするための送信部１０１２および受信部１０１４を含む筐体部１０２２も備えている。送信部１０１２および受信部１０１４は、トランシーバー部１０２４中において一体化されている。アンテナ１０２６は、筐体部１０２２に取り付けられており、トランシーバー部１０２４に電気的に結合している。追加のアンテナ（図示していない）も用いることができる。
【００６５】
通信デバイス１００２は、トランシーバー部１０２４により受信した信号のレベルおよび品質を検出する信号検出部１０１０も備えている。信号検出部１０１０は、例えば、トータルエネルギー、パイロットエネルギー、電力スペクトル強度および他の信号を検出する。
【００６６】
状態変更部１０１６は、現在の状態、および、トランシーバー部１０２４で受信した、ならびに、信号検出部１０１０で検出した、さらなる信号に基づいて、通信デバイス１００２の状態を制御する。通信デバイス１００２は、数ある状態のうちの任意の１つにおいて動作可能である。
【００６７】
通信デバイス１００２における様々な部材は、データバスに加えて、電力バス、制御信号バスおよび状態信号バスを含むバスシステム１０２０を介して互いに接続されている。しかし、図面を見やすくするために、様々なバスは、システムバス１０２０として図１０に図示している。通信デバイス１００２は、信号処理に用いられるデジタルシグナルプロセッサー（ＤＳＰ）１０１８も備えている。図１０に示された通信デバイス１００２は、特定の部材を列挙するものではなく、機能ブロック図である。
【００６８】
情報および信号は、種々の異なる技術および技法のいずれかを用いて表される。例えば、上述した説明において参照されたデータ、命令、コマンド、情報、信号、ビット、シンボルおよびチップは、電圧、電流、電磁波、磁界もしくは磁性粒子、光電場もしくは光学粒子またはそれらの組み合わせにより表すことができる。
【００６９】
本明細書等に記載された実施形態と関連付けて説明されている様々な例証となる論理ブロック、モジュール、回路およびアルゴリズムステップは、電子工学のハードウェア、コンピュータソフトウェア、またはそれらの組み合わせにより実現することができる。このハードウェアおよびソフトウェアの互換性、様々な例証の部材、ブロック、モジュール、回路およびステップを明確に説明するために、上記では、一般的にそれらの機能的な語句を用いて説明している。上記の機能がハードウェアとして実行されるか、ソフトウェアとして実行されるかは、システム全体における特定のアプリケーションおよび設計制約に依存する。当業者であれば、特定のアプリケーションごとに、説明した機能の様々な点を実現することができる。しかし、上記の実現は、本発明の範囲から逸脱する要因としてみなされるべきではない。
【００７０】
本明細書等に記載された実施形態と関連付けて説明されている様々な例証となる論理ブロック、モジュール、および回路は、一般的な用途のプロセッサー、デジタルシグナルプロセッサー（ＤＳＰ）、特定用途向けの集積回路（ＡＳＩＣ）、大規模ＰＬＤ（ＦＰＧＡ）もしくは他のプログラム可能な論理デバイス、離散ゲートまたはトランジスタ論理、離散ハードウェア部材、または本明細書等に記載されている機能を実行するために設計されたそれらの組み合わせにより実行または実現することができる。一般的な用途のプロセッサーは、マイクロプロセッサーである、しかし、代わりに、従来のプロセッサー、コントローラー、マイクロコントローラーまたは状態機械のいずれかをプロセッサーとしてもよい。プロセッサーは、コンピュータデバイスの組み合わせ（例えば、ＤＳＰとマイクロプロセッサーとの組み合わせ、複数のマイクロプロセッサーの組み合わせ、ＤＳＰコアを接合した１つ以上のマイクロプロセッサー、またはその他の構成）としても実現することができる。
【００７１】
本明細書等に記載された実施形態と関連付けて説明されている方法またはアルゴリズムにおけるステップは、ハードウェア、プロセッサーにより実行されるソフトウェアモジュール、またはそれらの組み合わせにおいて直接実行することができる。ソフトウェアモジュールは、ＲＡＭメモリ、フラッシュメモリ、ＲＯＭメモリ、ＥＰＲＯＭメモリ、ＥＥＰＲＯＭメモリ、データ蓄積装置、ハードディスク、リムーバルディスク、ＣＤ−ＲＯＭ、またはその他従来公知の記録媒体に記録されている。典型的な記録媒体は、プロセッサーに連結されている。すなわち、プロセッサーは、記録媒体から情報を読み出すことができると共に、記録媒体に情報を書き込むことができる。別の態様としては、記録媒体は、プロセッサと一体であってもよい。プロセッサおよび記録媒体は、ＡＳＩＣに属していてもよい。ＡＳＩＣは、ユーザー端末に属している。別の態様としては、プロセッサーおよび記録媒体は、ユーザー端末において別個の部材として属していてもよい。
【００７２】
本明細書等に記載されている方法は、上記で説明した方法を達成するための、１つ以上のステップまたはアクションを含んでいる。方法ステップおよび／またはアクションは、本発明の範囲から逸脱しない限り、相互に入れ替えることができる。言い換えれば、実施形態における特別な動作のために要求される特定の順番ステップまたはアクションでない限りは、特定のステップおよび／またはアクションにおける順序および／または用途は本発明の範囲を逸脱しない限り変更することができる。
【００７３】
本発明の特定の実施形態および用途が図解され、説明されているが、本明細書等に記載された構成および部材に厳密に制限されるものではないことを理解されたい。当業者であれば、本明細書等に記載された範囲を逸脱しない方法およびシステムにおける処理、動作および詳細を様々に改良、変更および変化させることができる。
【００７４】
一実施形態において、参照信号のセットは、単位セルにおいて３セクターをカバーするために供給される。単位セクターあたり少なくとも２つの参照信号が供給される。参照信号のセットは、所定のセルにおける各セクターにおいて直交している。参照信号のセットは、所定のセルに隣接するセクターにおいて直交している。隣接するセクターにない参照信号は、最低限の相関を有している。参照信号のセットは、１の値に非常に近いピーク対平均電力比を有している。
【００７５】
複数の帯域幅は同時に使用される。系列のセットは、基本系列から再帰的に生成することができる。行列は、単位超球上にゼロでない要素を複数含む行列として供給される。１つ以上の構造化ベクトルのそれぞれの間における相関が出力される。
【００７６】
系列セットは、最も近いタイトフレームに射影される。最も近いタイトフレームにおけるサブセットは、１つ以上の直交行列に射影される。１つ以上の直交行列は、最近傍の巡回行列に射影される。各系列は、最小のピーク対平均電力比ベクトル上に射影される。
【００７７】
一実施形態において、行列は、ゼロでない要素を複数含む単位超球上に置かれる。１つ以上の構造化ベクトルのそれぞれの間の相関が出力される。系列セットは、最も近いタイトフレームに射影される、最も近いタイトフレームのサブセットは、１つ以上の直交行列に射影される、。１つ以上の行列は、最近傍の巡回行列に射影される。系列のそれぞれは、最小のピーク対平均電力比ベクトル上に射影される。
【図１】
0004819954.tif 000007
【図２】
0004819954.tif 000008
【図３】
0004819954.tif 000009
【図４】
0004819954.tif 000010
【図５】
0004819954.tif 000011
【図６】
0004819954.tif 000012
【図７】
0004819954.tif 000013
【図８】
0004819954.tif 000014
【図９】
0004819954.tif 000015
【図１０】
0004819954.tif 000016